(57)【要約】【課題】装着されたカメラヘッドの撮像素子が持つ感度設定可能範囲内でユーザに正しく撮影を行なわせることができるカメラシステムを提供する。【解決手段】  複数のカメラヘッド１ａそれぞれに感度情報記憶部１４ａを設けておき、そのうちのいずれか一つがカメラ本体側に装着される度に、カメラ本体側のＣＰＵ１０ｂがその感度情報記憶部１４ａ内の感度情報を取得する。ＣＰＵ１０ｂはその取得した感度情報に基づいて設定可能な感度範囲をＬＣＤ表示部１５ｂの表示画面上に表示してユーザにカメラヘッド１ａが備えるＣＣＤ１２ａの性能を知らせる。【選択図】図３
2006067181.tif 000002
【特許請求の範囲】
【請求項１】
撮影光学系と撮像素子を備え、それぞれが固有の感度設定可能範囲を有する複数種類のカメラヘッドと、該複数種類のカメラヘッドのうちの任意のカメラヘッドが交換自在に装着され装着されたカメラヘッドから画像信号を受け取って信号処理を行なうカメラ本体とを備えたカメラシステムにおいて、
前記カメラ本体が、
該カメラ本体に装着されたカメラヘッドの感度設定可能範囲を認識する感度範囲認識部と、
前記感度範囲認識部で認識された感度設定可能範囲に応じた表示を行なう表示部とを備えたことを特徴とするカメラシステム。
【請求項２】
前記表示部が、設定可能な感度を表示するものであって、
前記カメラ本体が、
操作に応じて、設定可能な感度の中から任意の感度を設定する感度設定部と、
前記感度設定部で設定された感度で撮影を行なう撮影部とを備えたものであることを特徴とする請求項１記載のカメラシステム。
【請求項３】
前記表示部が、設定可能な感度を表示するとともに、設定不能な感度を設定可能な感度とは区別された態様で表示するものであることを特徴とする請求項２記載のカメラシステム。
【請求項４】
前記表示部が、設定可能な露出補正値を表示するものであって、
前記カメラ本体が、
操作に応じて、設定可能な露出補正値の中から任意の露出補正値を設定する露出補正設定部と、
前記露出補正設定部で設定された露出補正値に応じて補正された露出での撮影を行なう撮影部とを備えたものであることを特徴とする請求項１記載のカメラシステム。
【請求項５】
前記表示部が、設定可能な露出補正値を表示するとともに、さらに、設定不能な露出値を、設定可能な露出補正値とは区別された態様で表示するものであることを特徴とする請求項４記載のカメラシステム。
【請求項６】
前記表示部が、設定可能なシャッタースピードを表示するものであって、
前記カメラ本体が、
操作に応じて、設定可能なシャッタースピードの中から任意のシャッタースピードを設定するシャッタースピード設定部と、
前記シャッタースピード設定部で設定されたシャッタースピードでの撮影を行なう撮影部とを備えたことを特徴とする請求項１記載のカメラシステム。
【請求項７】
前記表示部が、設定可能なシャッタースピードを表示するとともに設定不能なシャッタースピードを、設定可能なシャッタースピードとは区別された態様で表示するものであることを特徴とする請求項６記載のカメラシステム。
【発明の詳細な説明】
【技術分野】
【０００１】
本発明は、撮影光学系と撮像素子を備え、それぞれが固有の感度設定可能範囲を有する複数種類のカメラヘッドと、その複数種類のカメラヘッドのうちの任意のカメラヘッドが交換自在に装着され装着されたカメラヘッドから画像信号を受け取って信号処理を行なうカメラ本体とを備えたカメラシステムに関する。
【背景技術】
【０００２】
撮像素子と撮影光学系が一体的になったプラグインユニットがカメラ本体に装着されると、そのプラグインユニットの情報がカメラ本体側に伝達されて、そのプラグインユニットが備える撮影光学系で撮影を行なうことができるようになるカメラシステムが提案されている（特許文献１参照）。このようにプラグインユニットがカメラ本体に装着されるだけで撮影光学系つまり撮影レンズの交換が行なわれるカメラシステムが実現されると、カメラシステムの取り扱いが非常に簡単になり、専門的な知識を持たない人にでも簡単に撮影レンズの交換を行なわせることができる。
【０００３】
同様なものに、撮影光学系と撮像素子を備えたカメラヘッドと、カメラヘッドが着脱自在に装着されカメラヘッドから画像信号を受け取って信号処理を行なうカメラ本体とを備えたカメラシステムがある（例えば特許文献２参照）。
【０００４】
ところで、最近撮像素子に多種多様なものが発表され、撮像素子の感度を含む特性も様々なものになってきている。このような多種多様な撮像素子のうち、いずれかが配備されたカメラヘッドがカメラ本体に装着されるようになってくると、カメラ本体側は、カメラヘッドが装着されるまで撮像素子の感度を含む特性が全くわからないといった状況に陥ってしまう。このようなことを避けるため、撮像素子の感度をカメラボディ側の制御部に送信してその制御部に露出演算を正確に行なわせようとするもの（例えば特許文献３参照）があるが、これは電子スチルパック内に撮像素子を備えたパック交換式カメラに適用される技術であって、カメラヘッドに撮像素子を備えたカメラシステムに適用される技術ではない。
【０００５】
また、上記したように撮像素子が多種多様になってくると、ユーザはそのカメラヘッドをカメラ本体に装着する前に、その装着しようとするカメラヘッドが備える撮像素子の感度設定可能範囲などをわざわざマニュアルで確認しなければならなくなる。万が一、ユーザがマニュアルでの確認を怠ってしまうと、設定不能な範囲の感度を指定して撮影を行なってしまって後になって撮影の失敗に気付くような事態が発生してしまう。
【特許文献１】特開平８−１７２５６１号公報
【特許文献２】特開２０００−１８７２６８号公報
【特許文献３】特開２００４−３５７９５号公報
【発明の開示】
【発明が解決しようとする課題】
【０００６】
本発明は、上記事情に鑑み、装着されたカメラヘッドの撮像素子が持つ感度設定可能範囲内でユーザに正しく撮影を行なわせることができるカメラシステムを提供することを目的とする。
【課題を解決するための手段】
【０００７】
上記目的を達成する本発明のカメラシステムは、撮影光学系と撮像素子を備え、それぞれが固有の感度設定可能範囲を有する複数種類のカメラヘッドと、その複数種類のカメラヘッドのうちの任意のカメラヘッドが交換自在に装着され装着されたカメラヘッドから画像信号を受け取って信号処理を行なうカメラ本体とを備えたカメラシステムにおいて、
上記カメラ本体が、
そのカメラ本体に装着されたカメラヘッドの感度設定可能範囲を認識する感度範囲認識部と、
上記感度範囲認識部で認識された感度設定可能範囲に応じた表示を行なう表示部とを備えた態様であることを特徴とする。
【０００８】
そうすると、カメラヘッドが装着されたときに装着されたカメラヘッドの感度設定可能範囲をカメラ本体の感度範囲認識部が認識してその認識した感度範囲が表示部に表示されることによって正しい感度設定可能範囲がユーザに伝えられる。
【０００９】
このように表示により視覚的に感度設定可能範囲をユーザに伝えるようにしておくと、ユーザは撮像素子の感度設定可能範囲を表示部で確認した後、その感度設定可能範囲内の、適正と思われる感度での撮影を行なうことができるようになる。また上記感度範囲認識部により装着されたカメラヘッドが備える撮像素子の感度設定可能範囲が正しく認識されているので、上記のように表示部を用いて撮像素子の感度設定可能範囲を視覚的に伝えるだけでなく、設定不能な感度での撮影を行なおうとしているユーザに対して音声により注意を促すこともできる。
【００１０】
ここで、上記表示部が、設定可能な感度を表示するものであって、
上記カメラ本体が、
操作に応じて、設定可能な感度の中から任意の感度を設定する感度設定部と、
上記感度設定部で設定された感度で撮影を行なう撮影部とを備えたものであることが好ましい。
【００１１】
そうすると、上記感度設定部により設定された感度で上記撮影部により撮影を行なうことができるようになる。
【００１２】
ここで上記表示部が、設定可能な感度を表示するとともに、設定可能な感度を設定可能な感度とは区別された態様で表示するものであることが好ましい。
【００１３】
そうすると、表示画面上に表示された感度範囲のうち、設定可能な感度と設定不能な感度とが区別されて表示されるようになり、ユーザは、設定可能な感度であるか、あるいは設定不能な感度であるかの確認を行ないやすくなる。
【００１４】
また、上記表示部が、設定可能な露出補正値を表示するものであって、
上記カメラ本体が、
操作に応じて、設定可能な露出補正値の中から任意の露出補正値を設定する露出補正設定部と、
上記露出補正値設定部で設定された露出補正値に応じて補正された露出での撮影を行なう撮影部とを備えた態様のものであるものであっても良く、その場合には上記表示部が、設定可能な露出補正値を表示するとともに、さらに、設定不能な露出補正値を、設定可能な露出補正値とは区別された態様で表示するものであると良い。
【００１５】
さらに、上記表示部が、設定可能なシャッタースピードを表示するものであって、
上記カメラ本体が、
操作に応じて、設定可能なシャッタースピードの中から任意のシャッタースピードを設定するシャッタースピード設定部と、
上記シャッタースピード設定部で設定されたシャッタースピードでの撮影を行なう撮影部とを備えた態様であっても良く、その場合には上記表示部が、設定可能なシャッタースピードを表示するとともに設定不能なシャッタースピードを、設定可能なシャッタースピードとは区別された態様で表示するものであると良い。
【発明の効果】
【００１６】
以上、説明したように、カメラヘッドの撮像素子が持つ感度範囲内で正しく撮影が行なえるカメラシステムが実現される。
【発明を実施するための最良の形態】
【００１７】
以下、本発明の実施の形態について説明する。
【００１８】
図１は、本発明の一実施形態であるカメラシステムを示す図である。
【００１９】
本発明のカメラシステムを説明するにあたって、カメラヘッド、カメラ本体双方とも複数の種類１ａ〜ｎａ、１ｂ〜ｎｂの製品を備えたものであって、その複数の種類のうちのいずれかの種類のカメラヘッド１ａがいずれかの種類のカメラ本体１ｂに交換自在に装着されてカメラシステム１が構成されたとして以降説明する。
【００２０】
図２は、その複数の種類の中の一つであるカメラヘッド１ａが複数の種類の一つであるカメラ本体１ｂに交換自在に装着されカメラシステム１が構成されたときの外観を示す図である。
【００２１】
図２には、撮影光学系と撮像素子を備えたカメラヘッド１ａと、そのカメラヘッド１ａが着脱自在に装着されカメラヘッド１ａから画像信号を受け取って信号処理を行なうカメラ本体１ｂとがそれぞれ別々に示されている。
【００２２】
図２に示すようにカメラ本体１ｂの中央には、多数のマウント接点を持つヘッドマウント１０ｂが設けられ、またカメラヘッド１ａ側にも同様のマウント部が設けられている。双方のマウント接点の位置がそれぞれあうように図中の一点鎖線に沿ってカメラヘッド１ａがカメラ本体１ｂに機械的に装着されると、多数のマウント接点同士が各々接続されてカメラヘッド１ａとカメラ本体１ｂとが電気的にも接続される。
【００２３】
このカメラシステム１は、カメラ本体１ｂにバッテリが配備され、そのバッテリから、カメラヘッド１ａおよびカメラ本体１ｂが備える多数のマウント接点の中の電力用接点を通して電力が供給される構成になっている。その電力用の接点を通してカメラ本体のバッテリの電力がカメラヘッドに供給されると、カメラヘッドとカメラ本体との双方がともに動作状態になる。
【００２４】
また、多数のマウント接点の中には、電力用接点のほかに制御用の接点もあり、その制御用の接点を通してカメラヘッド１ａの撮像素子の感度情報などの読み出しがカメラ本体側で行なわれるようにもなっている。
【００２５】
さらにカメラ本体１ｂのボディ上面にはレリーズ釦１３ｂとモードダイヤル１４ｂが配備されている。このモードダイヤル１４ｂによって撮影モードや再生モードなどが選択される。また図２に示すカメラ本体の背面側には画像表示用として用いられるＬＣＤパネル１５０ｂや十字キー１５１ｂ、メニューキー１５２ｂなどの操作子が配備されている。このメニューキー１５２ｂが操作され選択項目の中の「感度」が十字キー１５１ｂにより選択されると、装着されたカメラヘッド１ａが持つ固有の感度設定可能範囲が表示されるようになっている。詳細は後述する。
【００２６】
ここで図３を参照して図２に示すカメラシステムの内部の構成を簡単に説明する。
【００２７】
図３はカメラヘッド１ａがカメラ本体１ｂに装着された状態にあるときのカメラシステムの内部構成を示すブロック図である。図３には撮影処理に係わる系統が抜き出されて示されている。
【００２８】
図３の左側にはカメラヘッド１ａの構成が、また図３の右側にはカメラ本体１ｂの構成がそれぞれ示されている。
【００２９】
まず、カメラヘッド１ａ側の構成を簡単に説明する。
【００３０】
図３に示すようにこのカメラシステム１を構成するカメラヘッド１ａには、レンズ１１ａと撮像素子（ここではＣＣＤ固体撮像素子が用いられているので以下ＣＣＤという）１２ａとが備えられている。ここではレンズ１１ａでＣＣＤ１２ａに被写体を結像させて、ＣＣＤ１２ａで被写体を表す画像信号の生成を行なって、露光完了のタイミングでその被写体を表す画像信号をＣＤＳ／ＡＤ部１３ａに出力させている。そのＣＤＳ／ＡＤ部１３ａによってＣＣＤ１２ａから出力させたときに乗ったノイズが低減され、さらにアナログ信号の画像信号がデジタル信号の画像信号に変換されデジタル信号になった画像信号がカメラ本体１ｂへ供給される。
【００３１】
カメラ本体１ｂではそのデジタル信号になった画像信号の供給を受けてカメラ本体１ｂ内部の信号処理部１４ｂで信号処理を行なってその信号処理を行なった画像信号を記録媒体に記録したり、ＬＣＤ表示部の表示画面上に表示したりする。
【００３２】
カメラ本体側での信号処理ほか、記録媒体１６ｂへの記録処理、ＬＣＤ表示部１５ｂの表示画面上への表示処理は、ＲＯＭ１１ｂとＲＡＭ１３ｂとＥＥＰＲＯＭ１２ｂとＣＰＵ１０ｂとからなるマイクロコンピュータにより制御されている。マイクロコンピュータは周知のように、ＣＰＵ１０ｂがＲＯＭ１１ｂに格納されているプログラムにしたがって各処理を実行するものであって、各処理の実行中にフラグなどの処理変数を必要に応じてＲＡＭ上で書き換えたりしながらＣＰＵ１０ｂが処理の経過を確認しつつ順次処理を行なっていくものである。
【００３３】
また例えばＣＰＵ１０ｂと協同して処理を行なうことが自在なＤＳＰなどで構成されている信号処理部１４ｂに好適な信号処理を行なわせることができるように、図３に示すカメラヘッド１ａにはカメラヘッド１ａの感度を表すデータが予め記憶されている感度情報記憶部１４ａが配備されている。このカメラヘッド１ａがカメラ本体１ｂに装着されモードダイヤル１４ｂにより電源が投入されたときに、その感度情報記憶部１４ａに記憶されている撮像素子の感度情報を表すデータが上記ＣＰＵ１０ｂにより読み出されてカメラ本体１ｂのＲＡＭ１３ｂに記憶されるようになっている。このＲＡＭ１３ｂに記憶されたカメラヘッド１ａの撮像素子の感度を表すデータが本体側のＣＰＵ１０ｂにより取得されることによりカメラヘッドが備える撮像素子の感度設定可能範囲がＣＰＵ１０ｂにより認識される。このＣＰＵ１０ｂが本発明にいう感度範囲認識部にあたる。
【００３４】
ＣＰＵ１０ｂにより装着されたカメラヘッド１ａが備えるＣＣＤ１２ａの感度設定可能範囲が認識されたら、ＲＡＭ１３ｂ内にその感度設定可能範囲を表すデータが記憶され、信号処理部１４ｂにその感度設定可能範囲内のいずれかの感度に応じた演算パラメータが信号処理部１４ｂにセットされる。このようにしておくと、カメラヘッド１ａが備えるＣＣＤ１２ａの感度に応じて適宜信号処理が行なわれるようになる。また、カメラヘッド１ａが備えるＣＣＤ１２ａ撮像素子の現在の設定感度を確認しようとしたユーザにより図２に示すメニュー釦１５２ｂが操作されさらに選択項目の中の「感度」が十字キー１５１ｂにより選択操作されたら、ＣＰＵ１０ｂはその選択操作を受けてＬＣＤ表示部１５ｂにその感度設定可能範囲を表示するように指示を出してＬＣＤ表示部１５ｂの表示画面１５１ｂ上に感度設定可能範囲の表示を行なわせる。
【００３５】
図４は、装着されたカメラヘッドが備えるＣＣＤ１２ａの感度設定可能範囲の表示を行なっているときの表示画面１５０ｂを示す図である。
【００３６】
図４に示す表示画面１５０ｂ上には、装着されたカメラヘッドで設定可能な感度範囲とともに、設定不能な感度範囲も表示されている。ここでは設定不能な感度については設定可能な感度とは区別された態様例えば選択不可能という文字がその設定不能な感度の脇に表示されるようになっている。選択不能である感度と選択可能である感度との区別を明確にするために、選択可能なものの最上位位置には選択可能という文字が表示されるようになっている。
【００３７】
このようにしておくと、装着されたカメラヘッドのＣＣＤが持つ感度設定可能範囲がユーザにより一目で確認されるようになる。
【００３８】
また、本実施形態では、十字キーの選択操作により選択された現在の設定値（図４ではＩＳＯ１００）も一目で確認されるようにもなっている。
【００３９】
このように十字キー１５１ｂの操作によりＩＳＯ感度が１６００を除くいずれかに（本実施形態ではＩＳＯ１００）設定されたらＣＰＵ１０ｂによりその感度を表すデータがパラメータとして信号処理部１４ｂにセットされ、その感度になるような信号処理が信号処理部１４ｂで的確に行なわれるようになる。カメラヘッド１ａとカメラ本体内の信号処理部１４ｂとが本発明にいう撮影部にあたり、また十字キー１５０ｂとＣＰＵ１０ｂが、本発明にいう感度設定部にあたる。
【００４０】
図５は、ＣＰＵ１０ｂが行なう処理の手順を示すフローチャートである。
【００４１】
図５に示すフローチャートに示す処理は、カメラヘッドが装着されたのち電源が投入されたことを受けて開始される。
【００４２】
ステップＳ５０１で撮像素子の感度情報を感度情報記憶部１４ａから読み出すことにより取得する。次のステップＳ５０２で感度設定可能範囲をＲＡＭ１３ｂに記憶して次のステップＳ５０３へ進む。
【００４３】
ステップＳ５０３でメニュー釦１５２ｂおよび十字キー１５１ｂがユーザにより操作され感度設定が選択項目の中から選択されたと判定したらＹＥＳ側に進み、ＲＡＭに記憶した感度設定可能範囲を表すデータをＬＣＤ表示部に供給してＬＣＤ表示部に指示して感度設定可能範囲を表示画面上に表示させる（図４参照）。次のステップＳ５０５へ進んで指定された感度（図４ではＩＳＯ１００）を表す演算パラメータを信号処理部１４ｂにセットして、次のステップＳ５０６へ進む。次のステップＳ５０６でユーザがカメラヘッド１ａの交換を行なうおうとして電源の遮断操作を行なっていると判定したらＹｅｓ側に進んでこのフローの処理を終了し、カメラヘッド１ａの交換が行なわれずに電源オンのまま撮影が行なわれるようだったらＮｏ側へ進んでステップＳ５０３に戻り、ステップＳ５０３からステップＳ５０６までの処理を繰り返し行なう。
【００４４】
以上説明したように、装着されたカメラヘッドの撮像素子が持つ感度設定可能範囲内でユーザに正しく撮影を行なわせることができるカメラシステムが実現される。
【００４５】
図６は、図４に示す感度情報記憶部１４ａに加えてシャッタースピードの情報を記憶する感度情報／シャッタースピード記憶部１４１ａを設けた場合の構成を示す図である。
【００４６】
図４の感度情報記憶部１４ａに代えて感度情報／シャッタースピード記憶部１４１ａを設けた以外、図４の構成と同様の構成である。この場合には、図示はしていないがＣＰＵ１０ｂがカメラヘッド内のＣＣＤ駆動用のタイミングジェネレータ（不図示）を制御してＣＣＤ１２ａに、十字キーにより指定されたシャッタースピードに対応する駆動信号を供給する構成になる。このＣＰＵ１０ｂと十字キーとが本発明にいうシャッタースピード設定部にあたる。
【００４７】
このような構成にした場合の表示画面の一例を図７に示す。
【００４８】
図７は、シャッタースピードの設定可能範囲を表示した表示画面を示す図である。
【００４９】
図７には図４に示したＩＳＯ感度の代わりにシャッタースピード（Ｓ）が選択自在に表示されている。この図７には図４に示したＩＳＯ１６００の感度と同様に１／１０００の高速シャッタースピードでは撮影を行なうことができないということが表示画面上に表示されている。図４と同様に選択不能である場合にはそのシャッタースピードの脇に選択不可能という文字が表示される。
【００５０】
このようにしておくと、ＣＣＤの電子シャッタのシャッタースピードの設定範囲が一目瞭然となり、装着したカメラヘッドが備えるＣＣＤの電子シャッタのシャッタースピードの特性がすぐにユーザに把握されるようになる。
【００５１】
図８は、図６の構成に加えて絞りの情報を記憶するシャッタースピード／絞り／ＣＣＤ感度記憶部１４２ａを設けた場合の構成を示す図である。
【００５２】
カメラヘッド内の撮影光学系の中には絞りも配備されているので、その絞りの開口径に関する情報も、シャッタースピードとＣＣＤ感度とともにシャッタースピード／絞り／ＣＣＤ感度記憶部１４２ａに記憶するように改良している。
【００５３】
このように感度情報記憶部をシャッタースピード／絞り／ＣＣＤ感度記憶部に変更した場合には、シャッタースピード、絞り、ＣＣＤ感度の３つの情報から得られる露出補正値の許容範囲をＣＰＵ１０ｂの演算により求めてその許容範囲を表示画面に表示することもできる。この場合には、その表示画面上に表示した露出補正値の中のいずれかが十字キーにより指定されたら、ＣＰＵ１０ｂがその露出補正値に応じたパラメータを信号処理部にセットするほか、カメラヘッド側のタイミングジェネレータを制御して露出補正値に応じたシャッタースピードでＣＣＤを駆動するとともに、露出補正値に応じた絞り（不図示）を光軸にセットするようにしている。このようにしておくと、補正された露出での撮影が確実に行なわれる。このＣＰＵ１０ｂと十字キー１５１ｂが本発明にいう露出補正設定部にあたり、絞りを含む撮影光学系から信号処理部までが本発明にいう撮影部にあたる。
【００５４】
図９は、露出補正値の設定可能範囲を表示したときの表示画面を示す図である。
【００５５】
図９に示すように、設定可能な範囲とともに設定不能な露出補正値が表示画面上に表示され、このうち設定不能である露出補正＋１．０の部分の脇には選択不可能という文字が表示されている。
【００５６】
このようにしておくと、カメラヘッドが備えるＣＣＤの感度、またそのＣＣＤのシャッタースピード、さらにはそのＣＣＤの受光面に与える光量に制限を加える絞りの特性に応じて許容される露出補正値の範囲を表示画面上でユーザに知らせることが可能となる。さらにはユーザにより指定された露出補正値に応じてＣＣＤのシャッタースピード、絞り径、信号処理部の演算パラメータが適宜設定され補正された露出での撮影がこのカメラシステムで行なわれるようになる。
【００５７】
このように装着された撮像素子の種類によって変化してしまう撮影光学系、特にＣＣＤの撮影性能に係わる仕様値（例えば感度、シャッタースピード、露出補正値など）が、カメラヘッドが装着される度に表示されることによってカメラヘッドの性能が表示画面上で確実に把握されるようになると、これから装着しようとするカメラヘッドが備える撮像素子の種類を一々マニュアルで確認するようなことをしなくても、ユーザは装着したカメラヘッドでの撮影パラメータを表示画面上で確認して、装着されたカメラヘッドとカメラ本体との組合せで得られる最高のパフォーマンスを引き出して撮影を行なうことができるようになる。
【００５８】
以上説明したように、装着されたカメラヘッドの撮像素子が持つ感度設定可能範囲内でユーザに正しく撮影を行なわせることができるカメラシステムが実現される。
【図面の簡単な説明】
【００５９】
【図１】本発明の一実施形態であるカメラシステムを示す図である。
【図２】その複数の種類の中の一つであるカメラヘッド１ａが複数の種類の一つであるカメラ本体１ｂに交換自在に装着されカメラシステム１が構成されたときの外観を示す図である。
【図３】カメラヘッド１ａがカメラ本体１ｂに装着された状態にあるときのカメラシステムの内部構成を示すブロック図である。
【図４】装着されたカメラヘッドが備えるＣＣＤ１２ａの感度範囲の表示を行なっているときの表示画面１５０ｂを示す図である。
【図５】ＣＰＵ１０ｂが行なう処理の手順を示すフローチャートである。
【図６】図４に示す感度情報記憶部１４ａに加えてシャッタースピードの情報を記憶する感度情報／シャッタースピード記憶部１４１ａを設けた場合の構成を示す図である。
【図７】シャッタースピードの設定可能範囲を表示したときの表示画面を示す図である。
【図８】図６の構成に加えて絞りの情報を記憶するシャッタースピード／絞り／ＣＣＤ感度記憶部１４２ａを設けた場合の構成を示す図である。
【図９】露出補正値の設定可能範囲を表示したときの表示画面を示す図である。
【符号の説明】
【００６０】
１  カメラシステム
１ａ  カメラヘッド
１１ａ    レンズ
１２ａ    ＣＣＤ
１３ａ    ＣＤＳ／ＡＤ部
１４ａ    感度情報記憶部
１４１ａ    シャッタースピード記憶部
１４２ａ    シャッタースピード／ＣＣＤ感度／絞り記憶部
１ｂ    カメラ本体
１０ｂ  ＣＰＵ
１１ｂ  ＲＯＭ
１２ｂ  ＥＥＰＲＯＭ
１３ｂ    ＲＡＭ
１４ｂ    信号処理部
１５ｂ    ＬＣＤ表示部
１５０ｂ    表示画面
１６ｂ    記録媒体
【図１】
2006067181.tif 000003
【図２】
2006067181.tif 000004
【図３】
2006067181.tif 000005
【図４】
2006067181.tif 000006
【図５】
2006067181.tif 000007
【図６】
2006067181.tif 000008
【図７】
2006067181.tif 000009
【図８】
2006067181.tif 000010
【図９】
2006067181.tif 000011